(57)【要約】【課題】経路における運転操作の楽さを容易に比較できる技術を提供する。【解決手段】経路選択システムは、車両を走行させる走行予定経路の候補である複数の候補経路を取得する候補経路取得部と、複数の前記候補経路のそれぞれについて走行に要する運転操作量を取得する運転操作量取得部と、複数の前記候補経路のそれぞれについての前記運転操作量を比較可能に表示する表示制御部と、複数の前記候補経路のなかから前記走行予定経路の選択を受け付ける経路選択部と、を備える。【選択図】図２
2020026988.tif 000002
【特許請求の範囲】
【請求項１】
車両を走行させる走行予定経路の候補である複数の候補経路を取得する候補経路取得部と、
複数の前記候補経路のそれぞれについて走行に要する運転操作量を取得する運転操作量取得部と、
複数の前記候補経路のそれぞれについての前記運転操作量を比較可能に表示する表示制御部と、
複数の前記候補経路のなかから前記走行予定経路の選択を受け付ける経路選択部と、
を備える経路選択システム。
【請求項２】
前記候補経路取得部は、前記運転操作量が最小となるように探索された前記候補経路が少なくとも１個含まれるように前記候補経路を取得する、
請求項１に記載の経路選択システム。
【請求項３】
前記運転操作量は、前記候補経路上における加減速の回数が多いほど大きくなる、
請求項１または請求項２のいずれかに記載の経路選択システム。
【請求項４】
前記運転操作量は、前記候補経路上における操舵の回数が多いほど大きくなる、
請求項１から請求項３のいずれか一項に記載の経路選択システム。
【請求項５】
前記表示制御部は、前記候補経路間の前記運転操作量の差を表示する、
請求項１から請求項４のいずれか一項に記載の経路選択システム。
【請求項６】
コンピュータを、
車両を走行させる走行予定経路の候補である複数の候補経路を取得する候補経路取得部、
複数の前記候補経路のそれぞれについて走行に要する運転操作量を取得する運転操作量取得部、
複数の前記候補経路のそれぞれについての前記運転操作量を比較可能に表示する表示制御部、
複数の前記候補経路のなかから前記走行予定経路の選択を受け付ける経路選択部、
として機能させる経路選択プログラム。
【発明の詳細な説明】
【技術分野】
【０００１】
本発明は、経路選択システムおよび経路選択プログラムに関する。
【背景技術】
【０００２】
走行距離の合計や通過交差点数や右左折交差点数や速度レベルや信号機の有無や交差点サイズ等の運転の楽さの指標に基づいて各経路を評価し、評価点の合計値が最も優秀な（評価点が最も高い）経路を最適経路として探索する技術が知られている（特許文献１、参照。）。特許文献１においては、走行距離や旅行時間だけでなく、運転の楽さの指標を評価するため、運転操作が楽な経路を探索できる。
【先行技術文献】
【特許文献】
【０００３】
【特許文献１】特開２０１０−１２７８３７号公報
【発明の概要】
【発明が解決しようとする課題】
【０００４】
しかしながら、ユーザは走行距離や旅行時間を最小とする経路を期待する場合が多いため、運転操作が楽であるが走行距離や旅行時間が大きい経路が探索された場合に不満を感じるという問題があった。すなわち、運転操作が楽な経路が探索されても、その経路がなぜ優秀なのかを認識できないため、不満を感じるという問題があった。
本発明は、前記課題にかんがみてなされたもので、経路における運転操作の楽さを容易に比較できる技術を提供することを目的とする。
【課題を解決するための手段】
【０００５】
前記の目的を達成するため、本発明の経路選択システムは、車両を走行させる走行予定経路の候補である複数の候補経路を取得する候補経路取得部と、複数の候補経路のそれぞれについて走行に要する運転操作量を取得する運転操作量取得部と、候補経路を走行するための運転操作量を比較可能に表示する表示制御部と、複数の候補経路のなかから前記走行予定経路の選択を受け付ける経路選択部と、を備える。
【０００６】
前記の目的を達成するため、本発明の経路選択プログラムは、コンピュータを、車両を走行させる走行予定経路の候補である複数の候補経路を取得する候補経路取得部、複数の候補経路のそれぞれについて走行に要する運転操作量を取得する運転操作量取得部、候補経路を走行するための運転操作量を比較可能に表示する表示制御部、複数の候補経路のなかから前記走行予定経路の選択を受け付ける経路選択部、として機能させる。
【０００７】
以上説明した本発明の構成において、表示制御部は、複数の候補経路間で運転操作量を比較可能に表示するため、候補経路における運転操作の楽さをユーザが容易に認識できる。従って、運転操作量を比較しながら走行予定経路を選択することができる。
【図面の簡単な説明】
【０００８】
【図１】経路選択システムのブロック図である。
【図２】図２Ａ〜図２Ｃは経路選択画面の例である。
【図３】経路選択処理のフローチャートである。
【図４】４経路一覧画面の例である。
【発明を実施するための形態】
【０００９】
ここでは、下記の順序に従って本発明の実施の形態について説明する。
（１）経路選択システムの構成：
（２）経路選択処理：
（３）他の実施形態：
【００１０】
（１）経路選択システムの構成：
図１は、本発明の一実施形態にかかる経路選択システム１０の構成を示すブロック図である。経路選択システム１０は、ナビゲーションシステム１００を備えた車両と通信可能なサーバである。ナビゲーションシステム１００は、各種要求データを経路選択システム１０に送信する。各種要求データとは、ユーザから受け付けた操作等に応じてナビゲーションシステム１００が経路選択システム１０に各種処理や情報を要求するために送信するデータである。ナビゲーションシステム１００は、ユーザＩ／Ｆとしてタッチパネルディスプレイを備え、タッチパネルディスプレイにてユーザの入力を受け付けるとともに任意の画像を表示する。
【００１１】
経路選択システム１０は、制御部２０と記録媒体３０と通信部４０とを備えている。制御部２０は、ＣＰＵとＲＡＭとＲＯＭ等を備えたコンピュータであり、記録媒体３０等に記録された経路選択プログラム２１を実行する。通信部４０は、車両のナビゲーションシステム１００と無線通信を行うための無線通信回路である。
【００１２】
記録媒体３０は、地図情報３０ａと経路情報３０ｂとを記録している。地図情報３０ａは、ノードデータとリンクデータとを含む。ノードデータは、道路区間（リンク）同士が接続する点であるノードの座標等を示す。３個以上の道路区間が接続するノードは交差点を意味する。
【００１３】
リンクデータは、道路区間の位置や形状等を示す。さらに、リンクデータは、道路区間ごとに、区間長と旅行時間と幅員とレーン数と道路種別と通行料金とを示す。区間長とは、道路区間の長さであり、始点から終点まで走行した場合の走行距離を意味する。旅行時間は、道路区間を始点から終点まで走行するのに要する所要期間である。幅員は道路区間の幅であり、レーン数は道路区間に設けられているレーンの個数を意味する。道路種別は、有料道路と一般道路（無料道路）との区別である。さらに、リンクデータは、道路区間上に設置されている各種道路地物の配置を示す。道路地物には、信号機や一時停止地点や踏切等が含まれる。
【００１４】
経路情報３０ｂは、経路選択システム１０が探索した経路を示すデータである。経路は出発地から目的地までを接続する一連の道路区間によって構成され、経路情報３０ｂは経路を構成する一連の道路区間を示す。
【００１５】
次に、経路選択システム１０のソフトウェア構成を説明する。経路選択プログラム２１は、候補経路取得モジュール２１ａと運転操作量取得モジュール２１ｂと表示制御モジュール２１ｃと経路選択モジュール２１ｄとを含む。候補経路取得モジュール２１ａと運転操作量取得モジュール２１ｂと表示制御モジュール２１ｃと経路選択モジュール２１ｄとは、それぞれコンピュータとしての制御部２０を候補経路取得部と運転操作量取得部と表示制御部と経路選択部として機能させるプログラムモジュールである。
【００１６】
候補経路取得モジュール２１ａの機能により制御部２０は、出発地と目的地と探索モードとを指定する要求データをナビゲーションシステム１００から受信した場合に、候補経路を探索する。制御部２０は、経路を探索するにあたり、を出発地と目的地とを含む領域に存在する各道路区間について種々の評価コストを設定する。
【００１７】
本実施形態において、評価コストには、通常コストと運転操作量コストとが含まれる。具体的に、通常コストには、距離コストと時間コストと料金コストと一般道コストと有料道路コストとが含まれる。距離コストは、道路区間の区間長が長いほど大きくなる値である。時間コストは、道路区間の旅行時間が長いほど大きくなる値である。料金コストは、道路区間の通行料金が高いほど大きくなる値である。一般道路コストは、道路種別が一般道路である道路区間のみに設定される一定の値である。有料道路コストは、道路種別が有料道路である道路区間のみに設定される一定の値である。
【００１８】
運転操作量コストには、信号機コストと狭路コストとが含まれる。信号機コストは、道路区間上の信号機の数が大きいほど大きくなる値である。狭路コストは、幅員が閾値（例えば４ｍ）以下の道路区間のみに対して設定される一定の値である。
【００１９】
制御部２０は、道路区間について設定された各評価コストを結合（例えば線形結合）することにより区間コストを設定する。この結合において各評価コストの重みが経路の探索モードに応じて探索される。探索モードには、通常モードと運転操作量低減モードとが含まれる。通常モードは、通常コストのみを結合することにより各道路区間の区間コストを設定するモードである。運転操作量低減モードは、通常コストだけでなく運転操作量コストも結合することにより各道路区間の区間コストを設定するモードである。
【００２０】
さらに、通常モードには、推奨モードと有料優先モードと一般優先モードと距離優先モードとが含まれる。有料優先モードにおける一般道路コストの重みは、他のいずれの探索モードにおける一般道路コストの重みよりも大きい。一般優先モードにおける有料道路コストの重みは、他のいずれの探索モードにおける有料道路コストの重みよりも大きい。距離優先モードにおける距離コストの重みは、他のいずれの探索モードにおける距離コストの重みよりも大きい。推奨モードにおいては各評価コストの重みの大きさがバランスよく設定される。
【００２１】
運転操作量低減モードには、信号機低減モードと狭路低減モードとが含まれる。信号機低減モードにおける区間コストは、推奨モードにおける区間コストに対してさらに信号機コストが結合された値である。狭路低減モードにおける区間コストは、推奨モードにおける区間コストに対してさらに狭路コストが結合された値である。
【００２２】
候補経路取得モジュール２１ａの機能により制御部２０は、探索モードに応じた重みによって各評価コストを結合することにより、各道路区間について区間コストを設定する。そして、制御部２０は、公知のダイクストラ法等により、出発地から目的地を接続する一連の道路区間の区間コストの合計が最小となる経路を候補経路として探索する。
【００２３】
本実施形態において、制御部２０は、ナビゲーションシステム１００から指定された探索モードで候補経路を探索し、当該候補経路を示す情報である主情報を経路情報３０ｂに記録する。これにより、制御部２０は、適宜、経路情報３０ｂから候補経路を取得することが可能となる。本実施形態において、推奨モードが初期の探索モードとして指定されることとする。
【００２４】
候補経路を探索すると、制御部２０は、候補経路についての補足情報を生成する。補足情報は、経路の概要を説明するための情報である。補足情報には、候補経路を構成する一連の道路区間の区間長の合計値（全距離）と、候補経路を構成する一連の道路区間のうち有料道路に該当する道路区間の区間長の合計値（有料距離）と、一連の道路区間の通行料金の合計値（全通行料金）と、が含まれる。制御部２０は、候補経路に対応付けて補足情報を経路情報３０ｂに記録する。
【００２５】
制御部２０は、候補経路についての主情報と補足情報とをナビゲーションシステム１００に送信する。候補経路についての主情報と補足情報とを受信したナビゲーションシステム１００は経路選択画面をタッチパネルディスプレイに表示させる。本実施形態において、ナビゲーションシステム１００は、経路選択システム１０から受信した情報に基づいてタッチパネルディスプレイに表示する各種画面の画像データを生成する。本明細書において、制御部２０が表示すると表記した場合、車両のタッチパネルディスプレイに所望の画像が表示できるように制御部２０がナビゲーションシステム１００に指令することを意味する。ただし、経路選択システム１０がタッチパネルディスプレイに表示する各種画面の画像データを生成し、当該画像データをナビゲーションシステム１００に送信してもよい。
【００２６】
図２Ａ〜図２Ｃは経路選択画面の例を示す。図２Ａは、初期の候補経路として推奨モードの経路（推奨経路）が探索された場合の経路選択画面を示す。経路選択画面は、地図領域Ａ１と概要領域Ａ２と各種操作ボタンＢ１〜Ｂ４によって構成される。地図領域Ａ１は、地図上において候補経路が示される領域である。概要領域Ａ２は、候補経路の概要が示される領域である。ナビゲーションシステム１００は、候補経路を構成する一連の道路区間の区間長と道路種別に基づいて概要領域Ａ２に示す情報を取得できる。
【００２７】
図２Ａの経路選択画面において楽さ優先（信号機）ボタンＢ２が操作されたことを検知すると、ナビゲーションシステム１００は、信号機低減モードで追加の候補経路を探索することを要求する要求データを経路選択システム１０に送信する。また、図２Ａの経路選択画面において楽さ優先（狭い道）ボタンＢ３が操作されたことを検知すると、ナビゲーションシステム１００は、狭路低減モードで追加の候補経路を探索することを要求する要求データを経路選択システム１０に送信する。
【００２８】
信号機低減モードで追加の候補経路を探索することを要求する要求データを受信すると、候補経路取得モジュール２１ａの機能により制御部２０は、信号機低減モードで候補経路を探索し、当該信号機低減モードを示す情報を経路情報３０ｂに記録する。ここで、信号機低減モードの候補経路は、候補経路上における信号機の数が最小となるように探索された経路であり、信号機の前後における加減速の回数が多いほど大きくなる運転操作量としての信号機の数が最小となるように探索された経路である。信号機の数が最小となるように探索された経路とは、信号機コストが結合された区間コストが最小となるように探索された経路であればよく、必ずしも現実に信号機の数が最小となっている必要はない。
【００２９】
狭路低減モードで追加の候補経路を探索することを要求する要求データを受信すると、候補経路取得モジュール２１ａの機能により制御部２０は、狭路低減モードで候補経路を探索し、当該狭路低減モードを示す情報を経路情報３０ｂに記録する。ここで、信号機低減モードの候補経路は、候補経路上における狭路の長さが最小となるように探索された経路であり、候補経路上における操舵の回数が多いほど大きくなる運転操作量としての狭路の長さが最小となるように探索された経路である。狭路の長さが長いほど、操舵角を微調整する機会が増大することとなる。狭路の長さが最小となるように探索された経路とは、狭路コストが結合された区間コストが最小となるように探索された経路であればよく、必ずしも現実に狭路の長さが最小となっている必要はない。
【００３０】
以上のようにして、信号機低減モードまたは狭路低減モードで追加の候補経路を探索すると、制御部２０は、信号機低減モードまたは狭路低減モードの候補経路を示す主情報と、当該候補経路の補足情報とをナビゲーションシステム１００に送信する。これにより、ナビゲーションシステム１００は、図２Ｂ，図２Ｃに示すように、信号機低減モードまたは狭路低減モードの候補経路を示す経路選択画面を表示することとなる。
【００３１】
候補経路取得モジュール２１ａの機能により制御部２０は、車両を走行させる走行予定経路の候補である複数の候補経路を取得する。具体的に、候補経路取得モジュール２１ａの機能により制御部２０は、運転操作量が最小となるように探索された候補経路が少なくとも１個含まれるように候補経路を取得する。すなわち、制御部２０は、最初に探索した推奨モードの候補経路と、追加で探索した信号機低減モードまたは狭路低減モードの候補経路とを経路情報３０ｂから取得する。
【００３２】
運転操作量取得モジュール２１ｂの機能により制御部２０は、複数の候補経路のそれぞれについて走行に要する運転操作量を取得する。運転操作量取得モジュール２１ｂの機能により制御部２０は、運転操作量として、候補経路上に存在する信号機の数（信号機数）と、候補経路を構成する一連の道路区間のうち幅員が閾値（例えば４ｍ）以下の道路区間の区間長の合計値（狭路長）とを取得する。
【００３３】
表示制御モジュール２１ｃの機能により制御部２０は、候補経路を走行するための運転操作量を比較可能に表示する。具体的に、表示制御モジュール２１ｃの機能により制御部２０は、候補経路間の運転操作量の差を表示する。制御部２０は、信号機低減モードで追加の候補経路を探索した場合、最初に探索した推奨モードの候補経路と、追加で探索した信号機低減モードの候補経路との間の信号機の数の差を、運転操作量の差として表示する。
【００３４】
図２Ｂは、信号機低減モードの候補経路（信号機が少ない経路）が追加して探索された場合の経路選択画面を示す。同図に示すように、経路選択画面において、ポップアップＰが表示され、当該ポップアップＰにおいて、信号機低減モードの候補経路の方が推奨経路よりも信号機の数が５個少ないことが示されている。制御部２０は、ポップアップＰに表示させるメッセージを示す情報をナビゲーションシステム１００に送信する。これにより、ナビゲーションシステム１００は、信号機低減モードの候補経路の経路選択画面においてポップアップＰを表示することとなる。
【００３５】
一方、制御部２０は、狭路低減モードで追加の候補経路を探索した場合、最初に探索した推奨モードの候補経路と、追加で探索した狭路低減モードの候補経路との間の狭路の長さの差を、運転操作量の差として表示する。図２Ｃは、狭路低減モードの候補経路（狭くない経路）が追加して探索された場合の経路選択画面を示す。同図に示すように、経路選択画面において、ポップアップＰが表示され、当該ポップアップＰにおいて、信号機低減モードの候補経路の方が推奨経路よりも狭路が５ｋｍ短いことが示されている。
【００３６】
経路選択モジュール２１ｄの機能により制御部２０は、複数の候補経路のなかから前記走行予定経路の選択を受け付ける。ナビゲーションシステム１００は、図２Ａ〜図２Ｃの経路選択画面において案内開始ボタンＢ４の操作を受け付けると、走行予定経路の案内情報を要求する要求データを経路選択システム１０に送信する。
【００３７】
経路選択モジュール２１ｄの機能により制御部２０は、図２Ｂの経路選択画面における案内開始ボタンＢ４の操作に応じた要求データを受信すると、信号機低減モードの候補経路が走行予定経路として選択されたと判定する。一方、経路選択モジュール２１ｄの機能により制御部２０は、図２Ｃの狭路低減モードの候補経路を表示する経路選択画面における案内開始ボタンＢ４の操作に応じた要求データを受信すると、信号機低減モードの候補経路が走行予定経路として選択されたと判定する。
【００３８】
以上のようにして、案内開始ボタンＢ４の操作時に経路選択画面に表示していた候補経路が走行予定経路として選択されると、制御部２０は、選択された走行予定経路についての案内情報を生成し、ナビゲーションシステム１００に送信する。案内情報とは、走行予定経路上を車両が走行するように運転者を案内するための情報である。例えば、案内情報に基づいて走行予定経路上の交差点における右左の方向等が案内されてもよいし、走行予定経路が地図上に表示されてもよい。
【００３９】
以上説明した本実施形態において、制御部２０は、複数の候補経路間で運転操作量（信号機の数，狭路の長さ）を比較可能に表示するため、候補経路における運転操作の楽さをユーザが容易に認識できる。従って、運転操作量を比較しながら運転操作の楽な走行予定経路を選択することができる。
【００４０】
また、候補経路の少なくとも１個は運転操作量が最小となる経路であるため、運転操作量が小さい候補経路をユーザに提示するとともに、当該候補経路の運転操作量が他の候補経路と比較して小さいことをユーザに認識させることができる。具体的に、図２Ｂの経路選択画面によれば、信号機低減モードの候補経路の方が推奨モードの候補経路よりも候補経路上の信号機の数が少ないことを認識できる。さらに、候補経路上の信号機の数を運転操作量として表示することにより、アクセル操作やブレーキ操作の回数の多さを認識できる。また、図２Ｃの経路選択画面によれば、狭路低減モードの候補経路の方が推奨モードの候補経路よりも候補経路上の狭路の長さが短いことを認識できる。さらに、候補経路上の狭路の長さを運転操作量として表示することにより、ハンドル操作の回数の多さを認識できる。さらに、図２Ｂ，図２Ｃのように、制御部２０は、候補経路間の運転操作量の差を表示するため、他の候補経路に対して運転操作量がどの程度優れているのか、あるいは、どの程度劣っているのかを容易に認識できる。
【００４１】
（２）経路選択処理：
図３は、経路選択処理のフローチャートである。出発地と目的地と探索モードとを指定する要求データをナビゲーションシステム１００から受信したことをトリガーとして実行される処理である。まず、候補経路取得モジュール２１ａの機能により制御部２０は、推奨モードの候補経路を探索する（ステップＳ１０５）。なお、最初に探索する候補経路は必ずしも推奨モードの経路でなくてもよく、他の探索モードの経路であってもよい。
【００４２】
次に、候補経路取得モジュール２１ａの機能により制御部２０は、推奨モードの候補経路を表示する（ステップＳ１１０）。すなわち、制御部２０は、推奨モードの候補経路を示す主情報と、当該候補経路の補足情報とをナビゲーションシステム１００に送信する。候補経路についての主情報と補足情報とを受信したナビゲーションシステム１００は推奨モードの候補経路を示す経路選択画面（図２Ａ）をタッチパネルディスプレイに表示させる。
【００４３】
次に、候補経路取得モジュール２１ａの機能により制御部２０は、経路選択画面にて何が操作されたか否かを判定する（ステップＳ１１５）。図２Ａの経路選択画面においていずれかのボタンＢ１〜Ｂ４が操作されると、ナビゲーションシステム１００は、操作されたボタンＢ１〜Ｂ４に対応する処理を要求する要求データを経路選択システム１０に送信する。当該要求データを受信した経路選択システム１０は、当該要求データに基づいて操作されたボタンＢ１〜Ｂ４が何であるかを判定する。
【００４４】
ステップＳ１１５において、楽さ優先ボタンＢ２，Ｂ３が操作されたと判定した場合、候補経路取得モジュール２１ａの機能により制御部２０は、楽さ優先の候補経路の探索を行う（ステップＳ１２０）。具体的に、制御部２０は、楽さ優先（信号機）ボタンＢ２が操作され、ナビゲーションシステム１００から信号機低減モードで追加の候補経路を探索することを要求する要求データを受信した場合には、楽さ優先の候補経路として信号機低減モードの候補経路を探索する。一方、制御部２０は、楽さ優先（狭い道）ボタンＢ３が操作され、ナビゲーションシステム１００から狭路低減モードで追加の候補経路を探索することを要求する要求データを受信した場合には、楽さ優先の候補経路として狭路低減モードの候補経路を探索する。
【００４５】
次に、候補経路取得モジュール２１ａの機能により制御部２０は、楽さ優先の候補経路を表示する（ステップＳ１２５）。すなわち、制御部２０は、信号機低減モードまたは狭路低減モードの候補経路を示す主情報と、当該候補経路の補足情報とをナビゲーションシステム１００に送信する。信号機低減モードまたは狭路低減モードの候補経路についての主情報と補足情報とを受信したナビゲーションシステム１００は推奨モードの候補経路を示す経路選択画面（図２Ｂ，図２Ｃ）をタッチパネルディスプレイに表示させる。
【００４６】
次に、表示制御モジュール２１ｃの機能により制御部２０は、推奨モードと楽さ優先の候補経路の運転操作量の差を表示する（ステップＳ１３０）。そのためにまず、候補経路取得モジュール２１ａの機能により制御部２０は、最初のステップＳ１０５にて探索した推奨モードの候補経路と直前のステップＳ１２０にて探索した楽さ優先の候補経路とを経路情報３０ｂから取得する。
【００４７】
そして、表示制御モジュール２１ｃの機能により制御部２０は、信号機低減モードで追加の候補経路を探索した場合、最初に探索した推奨モードの候補経路と、追加で探索した信号機低減モードの候補経路との間の信号機の数の差を、運転操作量の差として表示する（図２Ｂ）。一方、制御部２０は、狭路低減モードで追加の候補経路を探索した場合、最初に探索した推奨モードの候補経路と、追加で探索した狭路低減モードの候補経路との間の狭路の長さの差を、運転操作量の差として表示する（図２Ｃ）。以上のようにして、楽さ優先の候補経路を表示すると、制御部２０は、ステップＳ１１５に戻る。
【００４８】
ステップＳ１１５において、４経路ボタンＢ１が操作されたと判定した場合、候補経路取得モジュール２１ａの機能により制御部２０は、４経路を探索する（ステップＳ１４０）。４経路とは、通常モードに属する４個の探索モード（推奨モード，有料優先モード，一般優先モード，距離優先モード）で探索された４個の候補経路を意味する。制御部２０は、通常モードの４個の探索モードのそれぞれに対応する重みによって評価コストを結合することにより各道路区間の区間コストを設定し、当該区間コストを用いて４個の候補経路を探索する。なお、推奨モードの候補経路はすでに探索されているため、制御部２０は、推奨モードの候補経路の探索を省略してもよい。
【００４９】
次に、表示制御モジュール２１ｃの機能により制御部２０は、４経路一覧画面を表示する（ステップＳ１４５）。具体的に、制御部２０は、通常モードの４経路のそれぞれについての主情報と補足情報とをナビゲーションシステム１００に送信する。さらに、運転操作量取得モジュール２１ｂの機能により制御部２０は、通常モードの４経路のそれぞれについての運転の楽さの指標値を取得し、ナビゲーションシステム１００に送信する。
【００５０】
運転の楽さの指標値とは、信号機数と狭路長の長さとを総合的に評価する指標値であり、信号機数が大きいほど小さくなり、かつ、狭路長が長いほど小さくなる指標値である。例えば、制御部２０は、信号機数の増加に応じて単調減少する項と、狭路長の増加に応じて単調減少する項とを加算した値を、運転の楽さの指標値として算出してもよい。ナビゲーションシステム１００は、経路選択システム１０から受信した情報に基づいて４経路一覧画面の画像データを生成し、４経路一覧画面をタッチパネルディスプレイに表示する。
【００５１】
図４は、４経路一覧画面の例を示す。同図に示すように、４経路一覧画面において、縦方向に探索条件が異なる通常モードの４経路が並び、横方向に補足情報（全距離、有料距離、通行料金、所要時間）が並ぶ比較表Ｔが表示される。比較表Ｔにおいて、補足情報とともに、４経路についての運転の楽さの指標値が比較可能に一覧表示されたセルＣ１〜Ｃ４が設けられている。
【００５２】
ナビゲーションシステム１００は、経路選択システム１０から受信した運転の楽さの指標値が大きいほど運転の楽さのセルＣ１〜Ｃ４に示される星の数が多くなるように４経路一覧画面の画像を生成する。具体的に、ナビゲーションシステム１００は、運転の楽さの指標値が５段階の階調区間のいずれに属するかを判定し、運転の楽さの指標値が属する階調区間が１段階大きくなるごとにセルＣ１〜Ｃ４に表示する星の数を１個ずつ多くする。
【００５３】
次に、候補経路取得モジュール２１ａの機能により制御部２０は、候補経路を仮選択する操作を受け付ける（ステップＳ１５０）。ナビゲーションシステム１００は、比較表Ｔのうち４経路の各名称を示すセルＣ５〜Ｃ８に対する操作を検知すると、当該セルＣ５〜Ｃ８に対応する候補経路が仮選択されたと判定する。そして、ナビゲーションシステム１００は、仮選択された候補経路を示す要求データを経路選択システム１０に送信する。制御部２０は、当該要求データを受信したことをもって、候補経路を仮選択する操作を受け付ける。
【００５４】
次に、候補経路取得モジュール２１ａの機能により制御部２０は、仮選択された候補経路を表示する（ステップＳ１５５）。すなわち、制御部２０は、仮選択された候補経路を示す主情報と、当該候補経路の補足情報とをナビゲーションシステム１００に送信する。仮選択された候補経路についての主情報と補足情報とを受信したナビゲーションシステム１００は当該候補経路を示す経路選択画面をタッチパネルディスプレイに表示させ、ステップＳ１１５に戻る。ステップＳ１５５にて表示される経路選択画面の構成は、図２Ａとほぼ同様である。
【００５５】
以上説明したステップＳ１０５〜Ｓ１５５を実行することにより、タッチパネルディスプレイにおいては、通常モード（推奨モード，有料優先モード，一般優先モード，距離優先モード）のいずれかで探索された候補経路を示す経路選択画面（図２Ａ）と、運転操作量低減モード（信号機低減モード，狭路低減モード）のいずれかで探索された候補経路を示す経路選択画面（図２Ｂ，図２Ｃ）が切り替え可能に表示されることとなる。これにより、ユーザは、満足する候補経路が表示されるまで経路選択画面を切り替えることができる。
【００５６】
最終的にステップＳ１１５において、案内開始ボタンＢ４が操作されたと判定した場合、候補経路取得モジュール２１ａの機能により制御部２０は、表示中の候補経路を走行予定経路として選択する（ステップＳ１６０）。ナビゲーションシステム１００は、図２Ａ〜図２Ｃの経路選択画面において案内開始ボタンＢ４の操作を受け付けると、走行予定経路の案内情報を要求する要求データを経路選択システム１０に送信する。制御部２０は、当該要求データを受信すると、経路選択画面に表示されている候補経路が走行予定経路として選択されたと判定する。そして、制御部２０は、走行予定経路についての案内情報を生成し、ナビゲーションシステム１００に送信する。これにより、ナビゲーションシステム１００では、走行予定経路についての経路案内が行われることとなる。
【００５７】
（３）他の実施形態：
前記実施形態においては、図２Ｂ，図２Ｃの経路選択画面において候補経路の運転操作量（信号機の数，狭路の長さ）が比較可能に表示されるとともに、図４の４経路一覧画面においても候補経路の運転操作量（楽さ指標値）が比較可能に表示される。しかしながら、経路選択画面と４経路一覧画面のいずれか一方においてのみ運転操作量が比較可能に表示されてもよい。また、４経路一覧画面において、候補経路の信号機の数と狭路の長さとが個別に比較可能に表示されてもよい。
【００５８】
さらに、信号機の数と狭路の長さとを総合的に評価した値である楽さ指標値を区間コストに反映させることにより、制御部２０は、信号機の数と狭路の長さとが総合的に良好となる候補経路を探索してもよい。また、制御部２０は、運転操作量を最小とする候補経路を最初から探索してもよい。さらに、制御部２０は、図４の４経路一覧画面において、運転操作量を最小とする候補経路の情報も一覧化して表示するようにしてもよい。
【００５９】
また、必ずしも候補経路は経路選択システム１０において探索されなくてもよい。例えば、制御部２０は、経路選択システム１０にて探索された候補経路の運転操作量と、ナビゲーションシステム１００にて探索された候補経路の運転操作量とを比較可能に表示してもよい。むろん、制御部２０は、ナビゲーションシステム１００にて探索された複数の候補経路の運転操作量を比較可能に表示してもよい。さらに、運転操作量が比較可能に表示される候補経路の少なくとも一部がスマートフォン等の携帯端末にて探索されてもよい。さらに、経路選択システム１０は、複数の候補経路を取得することができればよく、必ずしも候補経路を探索する手段を備えていなくてもよい。
【００６０】
また、本発明において、経路選択システムは、候補経路を選択するための情報を直接的または間接的にユーザに提供するように構成されていればよく、必ずしもユーザＩ／Ｆを備えていなくてもよい。例えば、経路選択システムは、車両に搭載されたユーザＩ／Ｆを制御可能な車載器であってもよいし、当該車載器と無線通信可能なサーバ等であってもよい。また、経路選択システムは、車両の乗員が携帯するスマートフォン等の携帯端末であってもよいし、当該携帯端末と無線通信可能なサーバ等であってもよい。
【００６１】
候補経路取得部は、最初から複数の候補経路を取得してもよいし、最初に取得した候補経路にユーザが満足していない場合等に追加の候補経路を取得してもよい。むろん、候補経路取得部は、最初から複数の候補経路を取得してもよい。候補経路取得部は、車両を走行させる走行予定経路の候補である複数の候補経路を取得すればよく、各候補経路の目的地が共通していてもよいし、各候補経路の目的地が異なっていてもよい。すなあち、運転操作量に基づいて候補経路を選択することにより、実質的に目的地も選択されるように構成されてもよい。候補経路は、種々の経路コストが最小となるように探索されてもよく、経路コストは走行距離や所要時間や通行料金や一般道路または有料道路の構成比率等が大きいほど大きくなるように設定されてもよい。
【００６２】
表示制御部は、少なくとも運転操作量を比較可能に表示すればよく、運転操作量以外に候補経路の特徴を示す特徴量（走行距離や所要時間や通行料金や一般道路または有料道路の構成比率等）もあわせて比較可能に表示してもよいし、地図上において候補経路そのものを比較可能に表示してもよい。表示制御部は、複数の候補経路の運転操作量を示す数値を並べて表示することにより、複数の候補経路の運転操作量を比較可能に表示してもよい。さらに、表示制御部は、複数の候補経路の運転操作量を示すグラフを表示することにより、複数の候補経路の運転操作量を比較可能に表示してもよい。運転操作量は、候補経路の形状や候補経路上の交通規制に基づいて取得されてもよいし、過去に候補経路を走行した際に学習された実際の運転操作量に基づいて取得されてもよい。表示制御部が表示することには、表示制御部がディスプレイ等の表示装置を直接制御することだけでなく、表示装置に表示させる表示情報を表示制御部が生成することにより、結果的に表示装置の表示内容が制御されることも含まれる。
【００６３】
ここで、候補経路取得部は、運転操作量が最小となるように探索された候補経路が少なくとも１個含まれるように候補経路を取得してもよい。すなわち、運転操作量が最小となるように候補経路を探索した上で、当該候補経路の運転操作量が他の候補経路の運転操作量と比較可能に表示されてもよい。これにより、運転操作量が小さい候補経路をユーザに提示するとともに、当該候補経路の運転操作量が他の候補経路と比較して小さいことをユーザに認識させることができる。ただし、複数の候補経路には、運転操作量が最小となるように探索された候補経路が含まれなくてもよい。
【００６４】
また、運転操作量は、候補経路上における加減速の回数が多いほど大きくなってもよい。これにより、加減速の回数が多いほど大きくなる運転操作量に基づいて、アクセル操作やブレーキ操作の回数の多さを認識できる。加減速の回数は、候補経路上における停止地点や減速地点の分布状況に基づいて取得されてもよい。停止地点や減速地点は、交差点や分岐地点や合流地点や信号機設置地点や一時停止地点や踏切や急カーブ地点や急勾配地点であってもよい。
【００６５】
さらに、運転操作量は、候補経路上における操舵の回数が多いほど大きくなってもよい。これにより、操舵の回数が多いほど大きくなる運転操作量に基づいて、ハンドル操作の回数の多さを認識できる。操舵の回数は、候補経路上における進行方向変化点や狭幅員区間の分布状況に基づいて取得されてもよい。進行方向変化点は、右左折等を行う交差点や分岐地点や合流地点であってもよいし、急カーブ地点であってもよい。狭幅員区間においては、操舵角の微調整が頻繁に行われるため、操舵の回数が多くなる。
【００６６】
また、表示制御部は、候補経路間の運転操作量の差を表示してもよい。これにより、他の候補経路に対して運転操作量がどの程度優れているのか、あるいは、どの程度劣っているのかを容易に認識できる。
【００６７】
さらに、本発明のように、候補経路を走行するための運転操作量を比較可能に表示する手法は、プログラムや方法としても適用可能である。また、以上のようなシステム、プログラム、方法は、単独の装置として実現される場合もあれば、車両に備えられる各部と共有の部品を利用して実現される場合もあり、各種の態様を含むものである。例えば、以上のような装置を備えた経路選択システム、経路選択システムや方法、プログラムを提供することが可能である。また、一部がソフトウェアであり一部がハードウェアであったりするなど、適宜、変更可能である。さらに、装置を制御するプログラムの記録媒体としても発明は成立する。むろん、そのソフトウェアの記録媒体は、磁気記録媒体であってもよいし半導体メモリであってもよいし、今後開発されるいかなる記録媒体においても全く同様に考えることができる。
【符号の説明】
【００６８】
１０…経路選択システム、２０…制御部、２１…経路選択プログラム、２１ａ…候補経路取得モジュール、２１ｂ…運転操作量取得モジュール、２１ｃ…表示制御モジュール、２１ｄ…経路選択モジュール、３０…記録媒体、３０ａ…地図情報、３０ｂ…経路情報、４０…通信部、１００…ナビゲーションシステム、Ａ１…地図領域、Ａ２…概要領域、Ｔ…比較表、Ｐ…ポップアップ
【図１】
2020026988.tif 000003
【図２】
2020026988.tif 000004
【図３】
2020026988.tif 000005
【図４】
2020026988.tif 000006